(57)【要約】【課題】  本発明は、血液、尿、便、水質などの検査において少量の試料、詳細には、１〜５００マイクロリットル程度の量の試料を円滑に収納することができる試料収納具を提供する。【解決手段】  本発明の試料収納具Ａは、試料を収納可能な有底筒状の収納容器１と、この収納容器１の開口部14内に着脱自在に挿嵌される漏斗体２とからなり、この漏斗体２の外周面に突条片23を形成し、上記突条片23を介して上記漏斗体２の外周面と収納容器１の内周面との対向面間で形成された隙間３を通じて収納容器１内を外部に連通させていることを特徴とする。【選択図】  図１
2005204919.tif 000002
【特許請求の範囲】
【請求項１】
試料を収納可能な有底筒状の収納容器と、この収納容器の開口部内に着脱自在に挿嵌され
る漏斗体とからなり、この漏斗体の外周面に突条片を形成し、上記突条片を介して上記漏
斗体の外周面と収納容器の内周面との対向面間で形成された隙間を通じて収納容器内を外
部に連通させていることを特徴とする試料収納具。
【請求項２】
突条片は漏斗体の軸芯方向にその長さ方向を向けた状態で複数個、漏斗体の下半部外周面
に周方向に所定間隔毎に突設してあり、これらの突条片の外端面と収納容器の開口端部内
周面との摩擦力によって漏斗体と収納容器とを着脱自在に接続していることを特徴とする
請求項１に記載の試料収納具。
【請求項３】
漏斗体を収納容器の上端開口部内に挿嵌した状態において、漏斗体の突条片の外端面をそ
の全長に亘って収納容器の内周面に圧接させていることを特徴とする請求項１又は請求項
２に記載の試料収納具。
【請求項４】
漏斗体の下端部を突条片が形成されていない出口部に形成していることを特徴とする請求
項１乃至請求項３の何れか１項に記載の試料収納具。
【請求項５】
漏斗体の外周面に収納容器の開口端受止部を形成してあり、この開口端受止部の下面に突
部を形成してあり、上記漏斗体を上記収納容器の開口部内に挿嵌した際に上記収納容器の
開口端面に上記開口端受止部の突部を当接させて、この突部を介して上記開口端受止部の
下面と上記収納容器の開口端面との対向面間で形成された隙間を通じて収納容器内を外部
に連通させていることを特徴とする請求項１乃至請求項４の何れか１項に記載の試料収納
具。
【請求項６】
収納容器内に収納される試料の粘度が４Ｐａｓ以上であると共に、収納容器の内周面を撥
水性被膜で被覆していることを特徴とする請求項１乃至請求項５の何れか１項に記載の試
料収納具。
【請求項７】
収納容器内に収納される試料の粘度が４Ｐａｓ以上であると共に、収納容器をプロピレン
単独重合体又はプロピレンと他のオレフィンとのランダム共重合体から形成していること
を特徴とする請求項１乃至請求項５の何れか１項に記載の試料収納具。
【発明の詳細な説明】
【技術分野】
【０００１】
本発明は、血液、尿、便、水質などの検査において採取される少量の試料を収納するた
めの試料収納具に関する。
【背景技術】
【０００２】
従来から血液の検査において少量の血液を採取して検査を行なうような場合には、指先
、腕或いは耳たぶをランセット（穿刺針）で突き刺し、少量の血液を採取して試料収納容
器内に収容している。このような試料収納容器としては、特許文献１に示したように、上
端開口部が徐々に拡径した状態に形成された有底筒状の試料収納容器が提案されている。
【０００３】
そして、上記試料収納容器は、その内底面から上端開口部に達する一本の血液の案内棒
を立設し、この案内棒に血液を伝わせて試料収納容器内に血液を円滑に収納させるように
構成している。
【０００４】
しかしながら、上記試料収納容器は、比較的小径に形成されていることから、少量の血
液を案内棒に正確に伝わせることが非常に難しく、血液が試料収納容器の上端開口部や内
壁面に付着してしまうことが多い。
【０００５】
そして、血液は乾燥性を有することから、試料収納容器の上端開口部や内壁面に付着し
た血液は、その後の遠心分離作業によっても試料収納容器の底部側に落下することはなく
、試料収納容器の上端開口部や内壁面に付着した状態を維持し、検査対象となる血液量が
少なくなってしまうという問題点の他に、試料収納容器の内壁面に付着したままの血液は
、その成分中の血球が乾燥によって破壊されて検査結果に影響を及ぼすことがあるといっ
た問題点があった。
【０００６】
又、試料収納容器の上端開口部や内壁面に付着した血液を不織布を用いて拭き取ること
も考えられるが、不織布の構成繊維が試料収納容器内に混入し検査結果に影響を与える可
能性があることからできるだけ回避することが望まれる。
【特許文献１】実用新案登録第３０７３２９４号公報
【発明の開示】
【発明が解決しようとする課題】
【０００７】
本発明は、血液、尿、便、水質などの検査において少量の試料、詳細には、１〜５００
マイクロリットル程度の量の試料を円滑に収納することができる試料収納具を提供する。
【課題を解決するための手段】
【０００８】
請求項１に記載の試料収納具は、試料を収納可能な有底筒状の収納容器と、この収納容
器の開口部内に着脱自在に挿嵌される漏斗体とからなり、この漏斗体の外周面に突条片を
形成し、上記突条片を介して上記漏斗体の外周面と収納容器の内周面との対向面間で形成
された隙間を通じて収納容器内を外部に連通させていることを特徴とする。
【０００９】
又、請求項２に記載の試料収納具は、請求項１に記載の試料収納具において、突条片は
漏斗体の軸芯方向にその長さ方向を向けた状態で複数個、漏斗体の下半部外周面に周方向
に所定間隔毎に突設してあり、これらの突条片の外端面と収納容器の開口端部内周面との
摩擦力によって漏斗体と収納容器とを着脱自在に接続していることを特徴とする。
【００１０】
そして、請求項３に記載の試料収納具は、請求項１又は請求項２に記載の試料収納具に
おいて、漏斗体を収納容器の上端開口部内に挿嵌した状態において、漏斗体の突条片の外
端面をその全長に亘って収納容器の内周面に圧接させていることを特徴とする。
【００１１】
更に、請求項４に記載の試料収納具は、請求項１乃至請求項３の何れか１項に記載の試
料収納具において、漏斗体の下端部を突条片が形成されていない出口部に形成しているこ
とを特徴とする。
【００１２】
又、請求項５に記載の試料収納具は、請求項１乃至請求項４の何れか１項に記載の試料
収納具において、漏斗体の外周面に収納容器の開口端受止部を形成してあり、この開口端
受止部の下面に突部を形成してあり、上記漏斗体を上記収納容器の開口部内に挿嵌した際
に上記収納容器の開口端面に上記開口端受止部の突部を当接させて、この突部を介して上
記開口端受止部の下面と上記収納容器の開口端面との対向面間で形成された隙間を通じて
収納容器内を外部に連通させていることを特徴とする。
【００１３】
そして、請求項６に記載の試料収納具は、請求項１乃至請求項５の何れか１項に記載の
試料収納具において、収納容器内に収納される試料の粘度が４Ｐａｓ以上であると共に、
収納容器の内周面を撥水性被膜で被覆していることを特徴とする。
【００１４】
最後に、請求項７に記載の試料収納具は、請求項１乃至請求項５の何れか１項に記載の
試料収納具において、収納容器内に収納される試料の粘度が４Ｐａｓ以上であると共に、
収納容器をプロピレン単独重合体又はプロピレンと他のオレフィンとのランダム共重合体
から形成していることを特徴とする。
【発明の効果】
【００１５】
本発明の試料収納具は、試料を収納可能な有底筒状の収納容器と、この収納容器の開口
部内に着脱自在に挿嵌される漏斗体とからなり、この漏斗体の外周面に突条片を形成し、
上記突条片を介して上記漏斗体の外周面と収納容器の内周面との対向面間で形成された隙
間を通じて収納容器内を外部に連通させていることを特徴とするので、試料が粘性の高い
血液のような場合であっても、収納容器内の空気を漏斗体の外周面と収納容器の内周面と
の対向面間で形成された隙間を通じて押出しながら、漏斗体を通じて試料を収納容器内に
円滑に収納することができる。
【００１６】
又、突条片が漏斗体の軸芯方向にその長さ方向を向けた状態で複数個、漏斗体の下半部
外周面に周方向に所定間隔毎に突設されてあり、これらの突条片の外端面と収納容器の開
口端部内周面との摩擦力によって漏斗体と収納容器とを着脱自在に接続している場合には
、漏斗体を収納容器の開口部内の略中心部に配設し、漏斗体を通じて試料を収納容器内に
その内周面に付着させることなく確実に収納することができる。
【００１７】
そして、漏斗体を収納容器の上端開口部内に挿嵌した状態において、漏斗体の突条片の
外端面をその全長に亘って収納容器の内周面に圧接させている場合には、漏斗体を収納容
器の開口部内から引き抜いて除去する際、漏斗体の突条片がガイドとなり、漏斗体を収納
容器の開口部内からその中心部に位置した状態を維持しつつ引き抜くことができ、漏斗体
の下端開口部が収納容器の内周面に不測に接触して漏斗体の下端開口部に残存した試料が
収納容器の内周面に付着することを効果的に防止することができる。
【００１８】
更に、漏斗体の下端部を突条片が形成されていない出口部に形成している場合には、漏
斗体の出口部と収納容器の内周面との間に充分な隙間を形成することができ、漏斗体の下
端開口部から注出した試料が収納容器の内周面に誤って付着するような事態を防止するこ
とができる。
【００１９】
又、漏斗体の外周面に収納容器の開口端受止部を形成してあり、この開口端受止部の下
面に突部を形成してあり、上記漏斗体を上記収納容器の開口部内に挿嵌した際に上記収納
容器の開口端面に上記挿嵌規制部の突部を当接させて、この突部を介して上記開口端受止
部の下面と上記収納容器の開口端面との対向面間で形成された隙間を通じて収納容器内を
外部に連通させている場合には、漏斗体の下半部を収納容器の開口部内に必要長さだけ確
実に挿嵌、固定した状態とし、漏斗体を収納容器の開口部内に安定的に配設することがで
きると共に、開口端受止部の下面と上記収納容器の開口端面との対向面間で形成された隙
間を通じて収納容器内を外部に連通（通気）させて収納容器内への試料の滴下、収納を円
滑に行なうことができる。
【００２０】
そして、収納容器の内周面を撥水性被膜で被覆している場合や、収納容器をプロピレン
単独重合体又はプロピレンと他のオレフィンとのランダム共重合体から形成している場合
には、試料が４Ｐａｓ以上という比較的高い粘度を有するものであって、試料を収納容器
内に収納する途上において収納容器の内周面に試料が不測に付着したような時にあっても
、収納容器の内周面に付着した試料は下方に向かって円滑に流動し或いはその後に行なわ
れる遠心分離操作によって円滑に下方に向かって流動して、試料を収納容器内の底部に円
滑に且つ確実に収納することができる。
【発明を実施するための最良の形態】
【００２１】
本発明の試料収納具の一例を図面を参照しつつ説明する。試料収納具Ａの収納容器１は
、図１及び図２に示したように、平面円形状の底面部11の外周縁から上方に向かって延設
された一定の内径を有する円筒状の周壁部12とからなる。なお、周壁部12の上端は、その
内径が僅かに拡径した状態に形成されている。
【００２２】
そして、収納容器１の上端縁には外方に向かって一定幅でもって鍔部12a が水平方向に
突設されており、この鍔部12a にはヒンジ部13を介して収納容器１の上端開口部14を開閉
自在に閉止可能な蓋部15が一体的に形成されている。なお、上記収納容器１の上端開口部
14の直径は、５．３〜６．０ｍｍに形成されることが好ましい。
【００２３】
又、収納容器１の漏斗体２は、図３に示したように、その上半部を上端から下端に向か
って徐々に小径となった漏斗部21に形成していると共に、該漏斗部21の下端から下方に向
かって垂下している下半部を上端から下端に向かって徐々に小径となった一定長さの注出
口部22に形成している。なお、漏斗体２の開口部上端の直径は、８〜１０ｍｍが好ましく
、注出口部22の開口部下端の直径は、１〜３ｍｍが好ましい。
【００２４】
そして、図３及び図４に示したように、漏斗体２の注出口部22の外周面には、その上端
から下端近傍部にかけて複数個の突条片23、23・・・がその長さ方向を漏斗体２の軸芯方
向に向けた状態で漏斗体２の周方向に等間隔毎に突設されている一方、漏斗体２の注出口
部22の下端部は、その外周面に突条片23が全く形成されていない出口部22a に形成されて
いる。
【００２５】
漏斗体２の注出口部22を収納容器１の上端開口部14内に挿嵌した状態において、漏斗体
２の全ての突条片23は、その外端面が全長に亘って収納容器１の上端開口部14の内周面に
圧接した状態となるように形成されており、収納容器１の開口端部内周面に対する漏斗体
２の突条片23の圧接摩擦力によって、漏斗体２を収納容器１の上端開口部14内に着脱自在
に安定して挿嵌、固定できるように構成されている。
【００２６】
又、漏斗体２における漏斗部21と注出口部22との連設部分には、図３及び図５に示した
ように、外径が収納容器１の鍔部12a の外径よりも僅かに大きく且つ一定幅の円環状に形
成された、収納容器の開口端受止部24が水平方向に延設されており、この開口端受止部24
の下面には、各突条片23の上端に連続する一定長さを有する突部25、25・・・がその長さ
方向を漏斗体２の径方向に向けて形成されている。なお、開口端受止部24の外周縁には、
試料収納具Ａを使用する際、該試料収納具Ａを把持するための平面長方形状の把持片24a 
が水平方向に突設されている。
【００２７】
そして、上記開口端受止部24の外周縁には、下方に向かって一定高さを有する円筒状の
カバー部26が形成され、このカバー部26の一部には、その下端縁に開口し且つ開口端受止
部24に達した切欠き部26a が形成されており、収納容器１の上端開口部14内に漏斗体２の
注出口部22を挿嵌した状態において、収納容器１のヒンジ部13をカバー部26の切欠き部26
a を通じて外方に突出させることができるように構成されている。
【００２８】
このように構成された収納容器１の上端開口部14内に漏斗体２の注出口部22を着脱自在
に挿嵌、固定した状態では、図１に示したように、漏斗体２の注出口部22の各突条片23の
外端面が収納容器１の周壁部12の内周面に全面的に圧接した状態となっており、上記突条
片23を介して漏斗体２の注出口部22の外周面と収納容器１の周壁部12の内周面との対向面
間には通気用隙間３が形成されると共に、漏斗体２の開口端受止部24の突部25、25・・・
を介して開口端受止部24の下面と収納容器１の上端開口端面との間にも通気用隙間４が形
成され、更に、収納容器１の鍔部12a の外周縁とこれに対向する漏斗体２のカバー部26の
内周面との間にも通気用隙間５が形成され、収納容器１内は上記通気用隙間３〜５を通じ
て外部と連通（通気）した状態となっている。
【００２９】
次に、上記試料収納具Ａの使用要領について説明する。なお、以下においては、試料と
して血液を収納する際の要領について説明する。先ず、収納容器１の上端開口部14を開放
状態とし、該上端開口部14内に漏斗体２の注出口部22を挿嵌、固定した上で、漏斗体２の
把持片24a を把持して収納容器１を垂直に起立した状態とする（図６参照）。この際、収
納容器１の蓋部15及びヒンジ部13を漏斗体２のカバー部26の切欠き部26a を通じて外部に
逃がした状態とする。
【００３０】
続いて、指、腕或いは耳たぶをランセット（穿刺針）で突き刺し、皮膚上に出てきた血
液を漏斗体２内にその漏斗部21の上端開口部を通じて滴下する。すると、漏斗体２内に滴
下された血液は、漏斗体２の漏斗部21から注出口部22に流入し、注出口部22の下端開口部
から収納容器１内に滴下、収納される。
【００３１】
ここで、漏斗体２に滴下された液体が粘性の低いものである場合には、液体は注出口部
22の下端開口部内に滞留することなく、収納容器１内の空気を注出口部22の下端開口部を
通じて外部に押出しながら収納容器１内に滴下、収納される。
【００３２】
一方、血液は、個人差はあるものの比較的粘性が高く、しかも、漏斗体２の注出口部22
の下端開口部の直径が小さいことも相まって、血液がその表面張力によって漏斗体２の注
出口部22の下端開口部内に滞留して該下端開口部内を全面的に閉止してしまうことがある
。このような場合にあっても、収納容器１内は上記通気用隙間３〜５を通じて外部と連通
し通気した状態とされていることから、血液は、収納容器１内の空気を通気用隙間３〜５
を通じて円滑に押出ながら収納容器１の周壁部12の内周面に付着することなく収納容器１
内の底部に滴下し、収納容器１内に収納される。
【００３３】
更に、漏斗体２の注出口部22は、その突条片23が外端面の全長に亘って収納容器１の周
壁部12内面に圧接することによって、収納容器１の上端開口部14内において偏芯すること
なく、収納容器１における径方向の略中心部に配設されると共に、漏斗体２の注出口部22
の出口部22a には突条片23が突設されていないことから、漏斗体２の出口部22a の外周面
と収納容器１の周壁部22の内周面との間には充分な隙間が形成されており、漏斗体２の注
出口部22の下端開口部から注出された血液は収納容器１の周壁部22の内周面に付着するこ
とは殆どない。
【００３４】
特に、収納容器１内に血液を収納する場合には、通常、収納容器１の周壁部12の内周面
には血液の凝固促進剤が塗布されており、この凝固促進剤に血液が接触すると、血液は更
に粘性の高い液状に変化し、後述する遠心分離操作を行なっても収納容器１の周壁部12の
内周面に付着した血液は下方に移動することなくそのままの状態を維持し乾燥する。
【００３５】
このように血液が収納容器１の周壁部12の内周面に付着した状態のまま乾燥すると、そ
の成分中の血球が破壊し、その後の検査に悪影響を及ぼす虞れがある。従って、本発明の
試料収納具Ａのように、血液を収納容器１内にその周壁部12の内周面に付着させることな
く収納容器１内の底部に収納できることは極めて有用である。
【００３６】
万一、漏斗体２の注出口部22の下端開口部から注出された血液が収納容器１の周壁部22
の内周面に誤って付着した場合を想定して、収納容器１の周壁部12の内周面を撥水性被膜
で被覆したり、或いは、収納容器１自体を親水性の低い合成樹脂で形成しておくとよい。
【００３７】
上記撥水性被膜を構成する樹脂としては、例えば、ポリテトラフルオロエチレン、フッ
素樹脂、シリコーン樹脂などが挙げられる。又、親水性の低い合成樹脂としては、例えば
、プロピレン単独重合体、プロピレンと他のオレフィンとのランダム共重合体などが挙げ
られる。なお、プロピレンと共重合されるオレフィンとしては、例えば、エチレン、１−
ブテン、１−ペンテン、４−メチル−１−ペンテン、１−ヘキセン、１−オクテン、１−
ノネン、１−デセン等のα−オレフィン等が挙げられる。
【００３８】
そして、漏斗体２を通じて収納容器１内に血液を収納し終わった後は、漏斗体２の注出
口部22を収納容器１の上端開口部内から上方に向かって引き抜いて除去する。この際、漏
斗体２の注出口部22の突条片23が収納容器１の周壁部12の内周面に摺接し、漏斗体２の注
出口部22が突条片23、23・・・によってガイドされた状態となっており、漏斗体２の注出
口部22が、その引き抜き中に収納容器１の上端開口部14内において収納容器１の径方向に
揺動するようなことはなく、収納容器１の径方向における中心部に位置した状態を維持し
つつ収納容器１の上端開口部14内から引き抜き除去される。
【００３９】
従って、漏斗体２の収納容器１からの除去操作中に、漏斗体２の注出口部22の下端開口
部に残存した血液が収納容器１の周壁部12の内周面に誤って付着するようなことはなく、
収納容器１内の底部に必要量の血液を確実に収納することができる。
【００４０】
そして、図７に示したように、収納容器１の上端開口部14を蓋部15によって開閉自在に
閉止した後、この収納容器１を遠心分離機に配設して遠心分離操作を行い、収納容器１内
の底部に収納された分離剤によって血液を血清と血球とに分離した上で、保管或いは所定
場所まで輸送する。
【００４１】
このように、上記試料収納具Ａによれば、血液を漏斗体２を通じて収納容器１内にその
周壁部12の内周面に付着させることなく確実に収納することができ、検査に必要な血液量
を確保することができると共に、血液が収納容器１の周壁部12内面に付着、乾燥すること
によって発生する破壊された血球の影響を排除して正確な検査を行なうことができる。
【００４２】
上述では、試料収納具Ａ内に血液を収納する要領を説明したが、試料としては、血液の
他に、薬剤で希釈した血液、尿、便を溶解させた検査溶液、水質検査のための水などであ
ってもよい。試料とする液体が、血液のように比較的粘性が高いような場合、具体的には
、試料とする液体の粘度が４Ｐａｓ以上であるような場合には、上述したように、収納容
器１の周壁部12の内周面を撥水性被膜で被覆したり或いは収納容器１自体を親水性の低い
合成樹脂で形成しておくことが好ましい。
【００４３】
一方、試料とする液体が比較的粘性の低いものである場合、具体的には、試料とする液
体の粘度が４Ｐａｓ未満であるような場合には、逆に、収納容器１の周壁部12の内周面を
親水性を有する被膜で被覆することが好ましい。このような親水性を有する被膜としては
、例えば、ブチラール樹脂からなる被膜や、酸化チタンを分散させた合成樹脂被膜などが
挙げられる。なお、試料の粘度は、ＪＩＳ  Ｋ７１１３に準拠してＢ型粘度計及びロータ
Ｎｏ．２を用いて温度（３０±０．５）℃、６０ｒｐｍの条件下にて測定したものをいう
。
【図面の簡単な説明】
【００４４】
【図１】本発明の試料収納具を示した縦断面図である。
【図２】収納容器と漏斗体とを分離した状態を示した斜視図である。
【図３】漏斗体を示した縦断面図である。
【図４】図３におけるIV-IV 線断面図である。
【図５】漏斗体を示した底面図である。
【図６】収納容器の上端開口部内に漏斗体を挿嵌、固定した状態を示した斜視図である。
【図７】収容容器の上端開口部を蓋部で開閉自在に閉止した状態を示した斜視図である。
【符号の説明】
【００４５】
１  収納容器
11  底面部
12  周壁部
13  ヒンジ部
14  上端開口部
15  蓋部
２  漏斗体
21  漏斗部
22  注出口部
22a 出口部
23  突条片
24  開口端受止部
24a 把持部
26  カバー部
26a 切欠き部
３〜５  通気用隙間
Ａ  試料収納具
【図１】
2005204919.tif 000003
【図２】
2005204919.tif 000004
【図３】
2005204919.tif 000005
【図４】
2005204919.tif 000006
【図５】
2005204919.tif 000007
【図６】
2005204919.tif 000008
【図７】
2005204919.tif 000009
【手続補正書】
【提出日】平成17年1月18日(2005.1.18)
【手続補正１】
【補正対象書類名】特許請求の範囲
【補正対象項目名】請求項６
【補正方法】変更
【補正の内容】
【請求項６】
収納容器内に収納される試料の粘度が４Ｐａ・ｓ以上であると共に、収納容器の内周面を撥水性被膜で被覆していることを特徴とする請求項１乃至請求項５の何れか１項に記載の試料収納具。
【手続補正２】
【補正対象書類名】特許請求の範囲
【補正対象項目名】請求項７
【補正方法】変更
【補正の内容】
【請求項７】
収納容器内に収納される試料の粘度が４Ｐａ・ｓ以上であると共に、収納容器をプロピレン単独重合体又はプロピレンと他のオレフィンとのランダム共重合体から形成していることを特徴とする請求項１乃至請求項５の何れか１項に記載の試料収納具。
【手続補正３】
【補正対象書類名】明細書
【補正対象項目名】００１３
【補正方法】変更
【補正の内容】
【００１３】
そして、請求項６に記載の試料収納具は、請求項１乃至請求項５の何れか１項に記載の試料収納具において、収納容器内に収納される試料の粘度が４Ｐａ・ｓ以上であると共に、収納容器の内周面を撥水性被膜で被覆していることを特徴とする。
【手続補正４】
【補正対象書類名】明細書
【補正対象項目名】００１４
【補正方法】変更
【補正の内容】
【００１４】
最後に、請求項７に記載の試料収納具は、請求項１乃至請求項５の何れか１項に記載の試料収納具において、収納容器内に収納される試料の粘度が４Ｐａ・ｓ以上であると共に、収納容器をプロピレン単独重合体又はプロピレンと他のオレフィンとのランダム共重合体から形成していることを特徴とする。
【手続補正５】
【補正対象書類名】明細書
【補正対象項目名】００２０
【補正方法】変更
【補正の内容】
【００２０】
そして、収納容器の内周面を撥水性被膜で被覆している場合や、収納容器をプロピレン単独重合体又はプロピレンと他のオレフィンとのランダム共重合体から形成している場合には、試料が４Ｐａ・ｓ以上という比較的高い粘度を有するものであって、試料を収納容器内に収納する途上において収納容器の内周面に試料が不測に付着したような時にあっても、収納容器の内周面に付着した試料は下方に向かって円滑に流動し或いはその後に行なわれる遠心分離操作によって円滑に下方に向かって流動して、試料を収納容器内の底部に円滑に且つ確実に収納することができる。
【手続補正６】
【補正対象書類名】明細書
【補正対象項目名】００４２
【補正方法】変更
【補正の内容】
【００４２】
上述では、試料収納具Ａ内に血液を収納する要領を説明したが、試料としては、血液の他に、薬剤で希釈した血液、尿、便を溶解させた検査溶液、水質検査のための水などであってもよい。試料とする液体が、血液のように比較的粘性が高いような場合、具体的には、試料とする液体の粘度が４Ｐａ・ｓ以上であるような場合には、上述したように、収納容器１の周壁部12の内周面を撥水性被膜で被覆したり或いは収納容器１自体を親水性の低い合成樹脂で形成しておくことが好ましい。
【手続補正７】
【補正対象書類名】明細書
【補正対象項目名】００４３
【補正方法】変更
【補正の内容】
【００４３】
一方、試料とする液体が比較的粘性の低いものである場合、具体的には、試料とする液体の粘度が４Ｐａ・ｓ未満であるような場合には、逆に、収納容器１の周壁部12の内周面を親水性を有する被膜で被覆することが好ましい。このような親水性を有する被膜としては、例えば、ブチラール樹脂からなる被膜や、酸化チタンを分散させた合成樹脂被膜などが挙げられる。なお、試料の粘度は、ＪＩＳ  Ｋ７１１３に準拠してＢ型粘度計及びロータＮｏ．２を用いて温度（３０±０．５）℃、６０ｒｐｍの条件下にて測定したものをいう。